(57)【要約】【課題】再生曲目の選曲性を向上することができるオーディオシステムの曲目選択装置及び項目選択装置を提供する。【解決手段】車内センタークラスタのディスプレイ６には、オーディオシステムで再生する曲目を選択する時の選択項目ボタンとして、曲目選択ボタン１２，１２…が複数表示される。この曲目選択ボタン１２，１２は、オーディオシステムの操作スイッチの操作許容方向に合わせて配置される。例えば、この操作スイッチが回転方向及び押し引き方向の２軸に操作可能である場合、これら曲目選択ボタン１２，１２もその操作方向に応じた位置に配置表示される。即ち、曲目選択ボタン１２，１２…は、操作スイッチの操作許容方向、つまり画面方向及びその奥行き方向の２軸方向において選択操作可能となっている。【選択図】図５
2009205720.tif 000002
【特許請求の範囲】
【請求項１】
表示手段の画面に曲目の選択項目ボタンを複数表示しつつ、当該選択項目ボタンのうちの一つを、操作手段の操作によって選択することにより、再生出力する曲目を指定するオーディオシステムの曲目選択装置において、
前記表示手段の画面方向と画面奥行き方向との少なくとも２方向に操作可能な多方向操作式操作手段と、
前記表示手段の画面に、前記画面方向と前記画面奥行き方向との少なくとも２方向に前記曲目の前記選択項目ボタンを並び表示する表示制御手段と、
前記多方向操作式操作手段が前記画面方向に操作された際、前記選択項目ボタンの選択状態を前記画面方向で切り換え、前記多方向操作式操作手段が前記画面奥行き方向に操作された際、前記選択項目ボタンの選択状態を前記画面奥行き方向で切り換える選択状態切換手段と
を備えたことを特徴とするオーディオシステムの曲目選択装置。
【請求項２】
前記多方向操作式操作手段は、前記画面方向に沿う操作が回転操作をとり、前記画面奥行き方向に沿う操作が押し引き操作をとり、
前記表示制御手段は、前記画面方向に並ぶ前記選択項目ボタンを円弧状又は円状に並び表示しつつ、前記画面奥行き方向に並ぶ前記選択項目ボタンを前記画面の奥方向に向かい表示サイズが徐々に小さくなるように並び表示することを特徴とする請求項１に記載のオーディオシステムの曲目選択装置。
【請求項３】
前記多方向操作式操作手段に組み込まれた振動子と、
前記表示手段の画面で選択状態にある曲目が持つ特徴に基づく動作状態で、前記振動子を振動させる振動子制御手段と
を備えたことを特徴とする請求項１又は２に記載のオーディオシステムの曲目選択装置。
【請求項４】
前記表示制御手段は、前記曲目の前記選択項目ボタンを、前記画面方向には第１属性の種類毎に分けて並び表示し、前記画面奥行き方向には第２属性の種類毎に分けて並び表示することを特徴とする請求項１〜３のうちいずれか一項に記載のオーディオシステムの曲目選択装置。
【請求項５】
前記表示制御手段は、前記選択項目ボタンが前記画面方向に選択操作された際、当該選択項目ボタンのボタン群をその時の操作方向に移動表示しつつ、前記選択項目ボタンが前記画面奥行き方向に選択操作された際、前記ボタン群をその時の操作方向に移動表示して、選択状態にあることを操作者に通知する定格位置に、その時に選択状態にある前記選択項目ボタンを配置表示することにより、前記選択項目ボタンの選択状態を操作者に通知することを特徴とする請求項１〜４のうちいずれか一項に記載のオーディオシステムの曲目選択装置。
【請求項６】
表示手段の画面に選択項目ボタンを複数表示しつつ、当該選択項目ボタンのうちの一つを、操作手段の操作によって選択することにより、項目指定を実行する項目選択装置において、
前記表示手段の画面方向と画面奥行き方向との少なくとも２方向に操作可能な多方向操作式操作手段と、
前記表示手段の画面に、前記画面方向と前記画面奥行き方向との少なくとも２方向に前記選択項目ボタンを並び表示する表示制御手段と、
前記多方向操作式操作手段が前記画面方向に操作された際、前記選択項目ボタンの選択状態を前記画面方向で切り換え、前記多方向操作式操作手段が前記画面奥行き方向に操作された際、前記選択項目ボタンの選択状態を前記画面奥行き方向で切り換える選択状態切換手段と
を備えたことを特徴とする項目選択装置。
【発明の詳細な説明】
【技術分野】
【０００１】
本発明は、再生出力する曲目を選択指定する際に使用するオーディオシステムの曲目選択装置、及び画面上に表示された選択項目ボタンを選択する際に使用する項目選択装置に関する。
【背景技術】
【０００２】
従来、車両には、車内において音楽再生を行うオーディオシステムや、走行目的地まで運転者を誘導するカーナビゲーションシステム等の各種車載システムが搭載されている。このうち、オーディオシステムは、記憶媒体（例えばCompact Disc等）に格納された音楽データを再生出力することにより音楽再生を行うとともに、車内にラジオ放送を流す音響系の車載システムである。また、近年のオーディオシステムにおいては、例えばカーナビゲーションシステム用のＨＤＤ（Hard Disk Drive）に地図データのみならず楽曲の音楽データを蓄積することにより、より多くの楽曲を車内で再生可能とした機種も広く普及してきている。
【０００３】
この種のオーディオシステムには、同システムの起動停止を切り換えたり、或いは再生対象の曲目を選択指定したりする際に使用するユーザインターフェース（操作パネル）が設けられる。ＨＤＤに音楽データを蓄積する方式のオーディオシステムのユーザインターフェースとしては、例えば各種車載システム間において共用の表示系として使用される車内ディスプレイに、その時に選択状態にある曲名を表示し、これをディスプレイの操作系を用いて選択指定することにより、再生出力する曲目を指定するものが広く使用されている。なお、オーディオシステムのインターフェースの具体例は、例えば特許文献１，２等に開示されている。
【特許文献１】特開２００５−２０９２７６号公報
【特許文献２】特開２００５−２４３１８２号公報
【発明の開示】
【発明が解決しようとする課題】
【０００４】
ところで、背景技術で述べたオーディオシステムのユーザインターフェースは、ディスプレイの操作系として配設された送りスイッチや戻しスイッチを操作して、ディスプレイに曲目を１曲ずつ表示させることにより、再生対象の曲目を選択指定する選択方式が一般的である。即ち、この種のユーザインターフェースにおいては、曲目選択時のスイッチ操作に準じたディスプレイの表示切り換わり方向、つまり指定曲目の切り換わり方向が一軸方向（例えば、画面左右方向）のみとなっていることが多い。
【０００５】
このため、例えば再生曲目を戻し指定したい時には、曲目を一曲ずつ戻していく操作過程が必要となるので、効率良く曲目を戻し指定することができない。よって、この種のユーザインターフェースにおいては、曲目の再指定に時間を要することになるので、曲目の選曲性が低いという問題があった。特に、この種のオーディオシステムを車両に搭載した場合、このような曲目選択に時間を要すると、これが運転に支障を来すことにもなり兼ねないので、何らかの対策が要望されていた。
【０００６】
本発明の目的は、再生曲目の選曲性を向上することができるオーディオシステムの曲目選択装置及び項目選択装置を提供することにある。
【課題を解決するための手段】
【０００７】
前記問題点を解決するために、本発明では、表示手段の画面に曲目の選択項目ボタンを複数表示しつつ、当該選択項目ボタンのうちの一つを、操作手段の操作によって選択することにより、再生出力する曲目を指定するオーディオシステムの曲目選択装置において、前記表示手段の画面方向と画面奥行き方向との少なくとも２方向に操作可能な多方向操作式操作手段と、前記表示手段の画面に、前記画面方向と前記画面奥行き方向との少なくとも２方向に前記曲目の前記選択項目ボタンを並び表示する表示制御手段と、前記多方向操作式操作手段が前記画面方向に操作された際、前記選択項目ボタンの選択状態を前記画面方向で切り換え、前記多方向操作式操作手段が前記画面奥行き方向に操作された際、前記選択項目ボタンの選択状態を前記画面奥行き方向で切り換える選択状態切換手段とを備えたことを要旨とする。
【０００８】
この構成によれば、表示手段の表示画面を見て曲目を選択する時に操作する操作手段を、画面方向及び画面奥行き方向の少なくとも２軸方向に操作可能な多方向操作式操作手段とし、表示手段に表示される選択項目ボタンを、多方向操作式操作手段のその操作許容方向に合わせて配置することにより、画面上の選択項目ボタンの選択操作を２軸方向において可能とした。よって、曲目の選択項目ボタンを選択する際、所望する選択項目ボタンに効率的に辿り着くことになるので、選曲性を高いものとすることが可能となる。
【０００９】
本発明では、前記多方向操作式操作手段は、前記画面方向に沿う操作が回転操作をとり、前記画面奥行き方向に沿う操作が押し引き操作をとり、前記表示制御手段は、前記画面方向に並ぶ前記選択項目ボタンを円弧状又は円状に並び表示しつつ、前記画面奥行き方向に並ぶ前記選択項目ボタンを前記画面の奥方向に向かい表示サイズが徐々に小さくなるように並び表示することを要旨とする。
【００１０】
この構成によれば、多方向操作式操作手段を回転方向及び押し引き方向の２軸方向に操作可能な操作手段とした。ところで、この種の操作手段においては、これが回転操作式をとる場合はその場でノブを回動操作する操作形式をとるので、例えばノブをスライド操作するスライド操作式に比べて、ノブの操作スペースを不要とする分だけ操作手段のサイズが小さく収まる。よって、本構成のように回転方向及び押し引き方向の２軸方向に操作可能な操作手段を採用すれば、操作手段を小型のものとすることが可能となる。
【００１１】
本発明では、前記多方向操作式操作手段に組み込まれた振動子と、前記表示手段の画面で選択状態にある曲目が持つ特徴に基づく動作状態で、前記振動子を振動させる振動子制御手段とを備えたことを要旨とする。
【００１２】
この構成によれば、多方向操作式操作手段に振動子を組み込み、その時に選択状態にある曲目が持つ特徴に基づく動作状態で、この振動子を振動させる。よって、表示手段の画面でのみならず、操作手段を操作すべく操作手段に触れた時の手でも、操作者はその時の振動子の振動状態から、その時に選択状態にある曲を把握することが可能となる。よって、表示手段の画面表示状態と、振動子から手に伝達される振動状態との両方で選曲が可能となるので、選曲性をより一層向上することが可能となる。
【００１３】
本発明では、前記表示制御手段は、前記曲目の前記選択項目ボタンを、前記画面方向には第１属性の種類毎に分けて並び表示し、前記画面奥行き方向には第２属性の種類毎に分けて並び表示することを要旨とする。
【００１４】
この構成によれば、表示手段に画面表示される選択項目ボタンを、第１属性及び第２属性に関してこれらの種類毎に分けて並び配置する。これにより、表示手段に画面表示される選択項目ボタンが規則性を持った状態で並び配置されるので、選択項目ボタンの画面上における大まかな配置位置が掴める。よって、選択項目ボタンを選択する際に要する時間の短時間化が図れるので、選曲性のより一層の向上化を図ることが可能となる。
【００１５】
本発明では、前記表示制御手段は、前記選択項目ボタンが前記画面方向に選択操作された際、当該選択項目ボタンのボタン群をその時の操作方向に移動表示しつつ、前記選択項目ボタンが前記画面奥行き方向に選択操作された際、前記ボタン群をその時の操作方向に移動表示して、選択状態にあることを操作者に通知する定格位置に、その時に選択状態にある前記選択項目ボタンを配置表示することにより、前記選択項目ボタンの選択状態を操作者に通知することを要旨とする。
【００１６】
この構成によれば、操作手段を操作して曲目を選択するに際しては、表示手段の画面上に表示されている選択項目ボタンを操作手段の操作により動かし、再生実行したい曲目の選択項目ボタンを、表示手段の画面上の定格位置に位置させることによって行う。このため、その時に選択状態をとっている選択項目ボタンは、定格位置として例えば画面の手前寄り（画面先頭も可）の位置に抜き出し表示される。よって、選択状態にある選択項目ボタンが大きいサイズで強調表示される状態をとるので、選択状態をとった選択項目ボタンを操作者により分かり易い状態で画面表示することが可能となる。
【００１７】
本発明では、表示手段の画面に選択項目ボタンを複数表示しつつ、当該選択項目ボタンのうちの一つを、操作手段の操作によって選択することにより、項目指定を実行する項目選択装置において、前記表示手段の画面方向と画面奥行き方向との少なくとも２方向に操作可能な多方向操作式操作手段と、前記表示手段の画面に、前記画面方向と前記画面奥行き方向との少なくとも２方向に前記選択項目ボタンを並び表示する表示制御手段と、前記多方向操作式操作手段が前記画面方向に操作された際、前記選択項目ボタンの選択状態を前記画面方向で切り換え、前記多方向操作式操作手段が前記画面奥行き方向に操作された際、前記選択項目ボタンの選択状態を前記画面奥行き方向で切り換える選択状態切換手段とを備えたこと要旨とする。
【発明の効果】
【００１８】
本発明によれば、オーディオシステムで再生曲目を選択操作するに際して、この時の選曲性を向上することができる。
【発明を実施するための最良の形態】
【００１９】
以下、本発明を具体化したオーディオシステムの曲目選択装置及び項目選択装置の一実施形態を図１〜図８に従って説明する。
図１に示すように、車両１には、車内において音楽再生出力やラジオ放送を行うオーディオシステム２が搭載されている。このオーディオシステム２は、車載したＨＤＤ（Hard Disk Drive）３に音楽データＤmsを蓄積し、この音楽データＤmsを再生することにより車内に音楽を流すＨＤＤ式であるが、ＣＤ（Compact Disc）等の記憶媒体の音楽データＤmsを読み取ってこれを再生出力することも可能である。なお、このＨＤＤ３は、オーディオシステム２専用のものに限らず、例えば運転者に現在位置や目的地までの道順を音声や地図により案内するカーナビゲーションシステムと共用されてもよい。
【００２０】
車内のセンタークラスタ４には、オーディオシステム２の操作パネルとしてユーザインターフェース（ＵＩ：User Interface）５が設けられている。このユーザインターフェース５には、オーディオシステム２の表示系としてディスプレイ６が設けられている。このディスプレイ６は、例えばカラー液晶からなるとともに、センタークラスタ４の略中央位置に配設されている。ディスプレイ６は、オーディオシステム２の表示系として使用される他に、例えば前述したカーナビゲーションシステムや、車内空調を調整するエアーコンディショナーシステム等の表示系としても共用されている。なお、ディスプレイ６が表示手段に相当する。
【００２１】
また、このユーザインターフェース５には、図２に示すように、オーディオシステム２の入力系として操作スイッチ７が設けられている。ユーザインターフェース５のパネル部８には、この操作スイッチ７の操作部位であるスイッチノブ９がパネル部８に対して相対移動可能な状態で取り付けられている。スイッチノブ９は、円筒形状をなすとともに、パネル部８に配設された円柱形状のスイッチ支持部１０に外嵌されている。スイッチノブ９は、スイッチ支持部１０の軸周り（図２の矢印Ａ方向）に回動操作可能で、かつスイッチ支持部１０の軸方向（図２の矢印Ｂ方向）に沿って押し引き操作も可能であり、しかもスイッチノブ９の操作後に同ノブ９から手を離すと、スイッチノブ９が操作開始前の初期位置に自動で復帰するモーメンタリ式である。なお、操作スイッチ７が操作手段及び多方向操作式操作手段に相当する。
【００２２】
即ち、図３及び図４に示すように、スイッチノブ９の左右の回転方向操作量（左側をＬlsとし、右側をＬrsとする）と、スイッチノブ９の前後の押し引き方向操作量（押し側をＬosとし、引き側をＬhsとする）とが予め所定量に設定され、各々の操作方向においてスイッチノブ９が最大操作位置付近まで操作されると、その時の操作方向におけるスイッチ接点（図示略）がオン状態をとりつつ、それ以上のノブ操作が規制される。そして、この状態においてスイッチノブ９から手を離すと、スイッチノブ９が操作開始前の初期位置に自動で復帰し、それまでオン状態をとっていたスイッチ接点がオフ状態に戻る。
【００２３】
図５に示すように、ディスプレイ６には、オーディオシステム２のメニュー画面として選曲画面１１が表示される。この選曲画面１１には、オーディオシステム２で音楽再生する際の選択曲として、複数の曲目選択ボタン１２，１２…からなるボタン群１３が表示され、操作スイッチ７を操作することにより、これらボタン１２，１２…の中の一つが選択されると、その曲目が再生出力される。これら曲目選択ボタン１２，１２…は、各々の曲目（ＣＤアルバム単位も含む）に応じたデザインを持つある種のアイコンであって、例えばＨＤＤ３に蓄積されている分だけ表示されている。この曲目選択ボタン１２，１２…は、操作スイッチ７の操作許容方向、即ち回転操作方向及び押し引き操作方向に合わせた状態で配置されている。なお、曲目選択ボタン１２が選択項目ボタンに相当する。
【００２４】
本例においては、ディスプレイ６の画面の厚さ方向を基準軸（機能軸）Ｋとすると、この基準軸Ｋの周り沿って画面円周方向に並び配置されるとともに、基準軸Ｋの軸に沿って画面厚さ方向にも並び配置されている。これら曲目選択ボタン１２，１２…は、スイッチノブ９の画面円周方向及び画面厚さ方向において格子状に並んだ配置状態をとっている。また、これら曲目選択ボタン１２，１２…は、画面円周方向にはジャンル毎に分けられて配置され、画面厚さ方向にはテンポ毎に分けられて配置されている。曲目のジャンルとしては、例えばロック、ヒップホップ、レゲエ、クラシック等がある。また、曲目選択ボタン１２，１２…を画面厚さ方向にテンポで振り分け配置する場合、例えばディスプレイ６の画面手前側にテンポの速い曲が配置され、ディスプレイ６の画面奥側にテンポの遅い曲が配置されている。なお、画面円周方向が画面方向に相当し、画面厚さ方向が画面奥行き方向に相当する。また、ジャンルが第１属性に相当し、テンポが第２属性に相当する。
【００２５】
ここで、例えばスイッチノブ９が左右方向に回転操作された場合、ディスプレイ６に表示されたボタン群１３は、その時のスイッチノブ９の回転操作方向、即ち画面円周方向に沿って回転する。また、スイッチノブ９が前後方向に押し引き操作された場合、ディスプレイ６のボタン群１３は、その時のスイッチノブ９の押し引き操作方向、即ち画面厚さ方向に沿って移動する。そして、操作スイッチ７の回転操作や押し引き操作を何度か繰り返して、ディスプレイ６の左斜め下寄りの位置に表示された指定枠１４に、再生出力したい曲目選択ボタン１２を位置合わせすることにより、曲目選択を行う。本例においては、これら複数の曲目選択ボタン１２，１２…のうち画面手前側から３番目の一ボタンが選択状態のものとして抜き出され、これが指定枠１４に拡大表示される。なお、指定枠１４が定格位置に相当する。
【００２６】
また、図２に示すように、操作スイッチ７には、所定周期（所定リズム）で振動を発生可能な振動子１５が埋設されている。振動子１５は、例えば小型モータで振動板を微振動させることにより、所定リズムで振動（バイブレーション）を発生するデバイスであって、スイッチノブ９の筐体内部においてこれと接触する状態で配置されている。この振動子１５は、自身の振動を操作スイッチ７（スイッチノブ９）に伝達して操作スイッチ７（スイッチノブ９）を振動させることにより、操作スイッチ７（スイッチノブ９）を握り操作する操作者に、ある種の規則性を持ったリズム振動を伝達する。
【００２７】
また、パネル部８には、操作スイッチ７付近において人体（操作者の手）の接近有無を検出する赤外線センサ１６が設けられている。赤外線センサ１６は、自身の検知エリアに人体が入り込んだか否かを見ることにより、操作者が操作スイッチ７を操作しようとしているかどうかを検出するセンサである。振動子１５は、赤外線センサ１６が人体を検出していない時、即ち操作者が操作スイッチ７に触れていない時、無振動の停止状態をとり、赤外線センサ１６が人体を検出した時、即ち操作者が操作スイッチ７に触れた時、振動を発生した起動状態をとる。
【００２８】
図６に示すように、ユーザインターフェース５には、このユーザインターフェース５を統括制御するコントロールユニットとしてインターフェース制御ＥＣＵ１７が設けられている。このインターフェース制御ＥＣＵ１７は、例えばＣＰＵ１８、ＲＯＭ１９、ＲＡＭ２０等からなる。また、インターフェース制御ＥＣＵ１７には、ＨＤＤ３、操作スイッチ７、ディスプレイ６、振動子１５及び赤外線センサ１６がそれぞれ電気配線（図示略）を介して接続されるとともに、オーディオシステム２の主システムであるオーディオ機構２１にも電気配線（図示略）を介して接続されている。なお、インターフェース制御ＥＣＵ１７が表示制御手段、選択状態切換手段及び振動子制御手段を構成する。
【００２９】
ＲＯＭ１９には、ユーザインターフェース５で曲目選択ボタン１２，１２…を選択指定する際に実行される制御プログラム２２が格納されている。この制御プログラム２２は、ＨＤＤ３に蓄積された音楽データＤmsを基にディスプレイ６のグラフィック表示を行うとともに、操作スイッチ７の操作を基にディスプレイ表示の切り換えを行いつつ、どの曲目選択ボタン１２，１２…が選択状態にあるのかを判定して、この判定結果を基に振動子１５を駆動するプログラムである。ＣＰＵ１８は、ＲＯＭ１９の制御プログラム２２を基に、ＲＡＭ２０を作業領域として、曲目選択ボタン１２，１２…の選択状態の判定と、振動子１５の駆動制御とを行う。
【００３０】
次に、本例のユーザインターフェース５の動作を説明する。
インターフェース制御ＥＣＵ１７は、オーディオシステム２の電源がオンされたことを認識すると、それまで停止状態をとっていたオーディオシステム２を起動状態に切り換える。このとき、インターフェース制御ＥＣＵ１７は、オーディオシステム２の動作モードが音楽再生モードにある場合、その時に選択状態にある曲目の音楽データＤms（音楽再生データ）をＨＤＤ３から取り込み、これをオーディオ機構２１に出力することにより、選択状態にある曲目を車内に再生出力する。なお、この音楽再生データは、曲目において実際の曲分に相当するデータ群である。
【００３１】
また、インターフェース制御ＥＣＵ１７は、オーディオシステム２が起動状態にある際、ＨＤＤ３に蓄積された各々の音楽データＤmsから、各音楽データＤmsに含まれる曲概略情報（例えば、アーティスト名、曲目、ＣＤジャケットのカバーデザイン、ジャンル、テンポ等）を受け付ける。この曲概略情報は、例えば各々の音楽データＤmsの先頭付近に書き込まれたコマンド的なデータ群であって、自身の後に続けて音楽再生データが書き込まれている。インターフェース制御ＥＣＵ１７は、ＨＤＤ３から取得した曲概略情報を基にして、ディスプレイ６の画面に、複数の曲目選択ボタン１２，１２…をジャンルやテンポに分けて略円筒状に並べたボタン群１３（図５参照）を画面表示する。
【００３２】
オーディオシステム２の起動時、再生曲目を切り換える場合には、操作スイッチ７のスイッチノブ９を操作することにより行う。このとき、例えばスイッチノブ９が左回転操作されると、インターフェース制御ＥＣＵ１７は、図７に示すように、画面上のボタン群１３の表示を画面円周方向においてその左側に回転させる。このとき、例えばスイッチノブ９が左方向に一回回転操作された場合には、画面上のボタン群１３は一升分回転、即ちそれまで指定枠１４に位置していた曲目選択ボタン１２に対してその左隣のものが指定枠１４に位置するように表示切り換えされる。また、この時に例えばスイッチノブ９の左回転操作が長押しされた場合には、画面上のボタン群１３は連続して左側に回転し、スイッチノブ９がオフ操作された時の位置で回転が停止する。なお、スイッチノブ９を右回転操作した場合にも、左回転操作時とは左右が逆になるが、同様の画面切り換えが行われる。
【００３３】
また、スイッチノブ９が手前側に引き出し操作されると、インターフェース制御ＥＣＵ１７は、図８に示すように、画面上のボタン群１３の表示を画面厚さ方向においてその手前側に移動させる。このとき、例えばスイッチノブ９が手前側に一回引き出し操作された場合には、画面上のボタン群１３は一升分移動、即ちそれまで指定枠１４に位置していた曲目選択ボタン１２に対して１つ奥のものが指定枠１４に位置するように表示切り換えされる。また、この時に例えばスイッチノブ９の引き出し操作が長押しされた場合には、画面上のボタン群１３は連続して手前側に移動し、スイッチノブ９がオフ操作された時の位置で手前移動が停止する。なお、スイッチノブ９を奥側に押し込み操作した場合も、引き出し操作時とは前後が逆になるが、同様の画面切り換えが行われる。
【００３４】
インターフェース制御ＥＣＵ１７は、指定枠１４に位置する曲目選択ボタン１２，１２…が他ボタンに切り換わると、指定枠１４に新たに位置した曲目選択ボタン１２，１２…の曲目に関してその音楽データＤms（音楽再生データ）をＨＤＤ３から読み出し、これをオーディオ機構２１に出力する。オーディオ機構２１は、新たな音楽データＤms（音楽再生データ）を受け付けると、それまで出力対象としていた音楽データＤms（音楽再生データ）を破棄して、新たに受け取った音楽データＤms（音楽再生データ）を格納し、これを車内に再生出力する。
【００３５】
また、赤外線センサ１６は、オーディオシステム２が起動状態となった際、自身も起動状態をとり、その時点から、操作スイッチ７への操作者の手の接近有無を監視する。そして、インターフェース制御ＥＣＵ１７は、赤外線センサ１６からオン信号を受け付けると、操作者が操作スイッチ７に触れたと認識し、振動子１５を駆動状態に切り換える。このとき、インターフェース制御ＥＣＵ１７は、その時に選択状態にある曲目、即ち再生対象として指定状態にある曲目のテンポに合わせて振動子１５を振動させる。なお、インターフェース制御ＥＣＵ１７は、音楽データＤmsに含まれる曲概略情報の中のテンポを参照し、この曲概略情報の中のテンポを基に振動子１５を駆動制御する。振動子１５は、選択状態にある曲目のテンポが速い場合には速く振動し、選択状態にある曲目のテンポが遅い場合には遅く振動する。振動子１５は、このような振動状態を以て、その時に選択状態にある曲目のテンポを、スイッチノブ９を握り操作している操作者に対して通知する。
【００３６】
さて、本例においては、操作スイッチ７を回転方向及び押し引き方向の２軸方向に操作可能とし、ディスプレイ６に画面表示される曲の曲目選択ボタン１２，１２…を、操作スイッチ７の操作許容方向、即ち回転方向及び押し引き方向に合わせて配置することにより、曲目選択を２軸の操作方向において可能とした。これにより、曲目を選択するに際しては所望する曲目に効率よく辿り付くことになるので、曲目の選曲性を向上することが可能となる。特に、この種のユーザインターフェース５を車両１に搭載した場合、このように選曲性の向上が可能となれば、この選曲作業が運転に支障を来し難くなるので、この観点からも効果が高いと言える。
【００３７】
また、オーディオシステム２の操作系である操作スイッチ７（スイッチノブ９）に振動子１５を組み込み、選択状態にある曲目のテンポに合わせて振動子１５を振動させる。これにより、その時々における振動子１５の振動状態によって、その時に選択状態にある曲目のテンポを操作者に通知することが可能となる。よって、ディスプレイ６の画面からのみならず、操作スイッチ７（スイッチノブ９）を握る手からも、操作者は選択状態にある曲目のテンポを知ることが可能となるので、選曲性を一層向上することが可能となる。また、ディスプレイ６の画面を見ることなく選曲を行うことも可能となるので、車両運転時の安全性確保に効果が高い。更に、オーディオシステム２を消音状態にしても、曲目の選曲が可能となる。
【００３８】
本実施形態の構成によれば、以下に記載の効果を得ることができる。
（１）操作スイッチ７を回転方向及び押し引き方向の２軸方向に操作可能としつつ、ディスプレイ６上の曲目選択ボタン１２，１２…を、この操作スイッチ７で許容された２軸向きの操作方向に合わせて画面配置することにより、曲目選択を２軸の操作方向において可能とした。これにより、曲目の選択に際しては所望する曲目選択ボタン１２，１２…に効率良く辿り付けるので、曲目の選曲性を高いものとすることができる。
【００３９】
（２）操作スイッチ７を回転方向及び押し引き方向の２軸方向に操作可能なスイッチ種とした。ところで、この種のスイッチにおいては、ノブが回動操作式をとる場合はその場でノブを回動操作する操作形式をとるので、例えばノブをパネル方向（左右方向）にスライド操作するスライド操作式に比べて、ノブの操作スペースを不要とする分だけスイッチのサイズが小さく収まる。よって、本例のようにスイッチノブ９を回転方向及び押し引き方向の２軸方向に操作可能な操作スイッチ７を採用すれば、この種のスイッチ部品を小型のものとすることができる。
【００４０】
（３）操作スイッチ７に振動子１５を組み込み、その時に選択状態にある曲のテンポに合わせて振動子１５を振動させる。よって、ディスプレイ６の画面でのみならず、操作スイッチ７を操作する時にスイッチノブ９に触れた手（指）でも、操作者はその時の振動子１５の振動状態から、その時に選択状態となった曲（テンポ）を把握することができる。よって、ディスプレイ６の画面表示状態と、振動子１５から手に伝達される振動状態との両方で選曲が可能となるので、選曲性をより一層向上することができる。
【００４１】
（４）ディスプレイ６に画面表示される曲目選択ボタン１２，１２…（ボタン群１３）は、画面円周方向には曲のジャンルにより振り分け配置され、画面厚さ方向には曲のテンポにより振り分け配置される。これにより、ディスプレイ６に画面表示された曲目選択ボタン１２，１２…が規則性を持った状態で画面上に並び配置されるので、これら曲目選択ボタン１２，１２…の画面上における大まかな配置位置が掴める。よって、曲目選択ボタン１２，１２…を選択する際に選択時間の短時間化が図れるので、選曲性のより一層の向上化を図ることができる。
【００４２】
（５）ディスプレイ６の画面左斜め下寄りの位置に指定枠１４を設け、ディスプレイ６上の曲目選択ボタン１２，１２…を操作スイッチ７の操作により動かして、再生出力したい曲目の曲目選択ボタン１２を指定枠１４に位置させることにより、曲目の選曲が実行される。このため、選択状態とされた曲目選択ボタン１２は、指定枠１４という表示サイズの大きい表示エリアで、大き目のサイズで以て画面表示される。よって、その時に選択状態にある曲目選択ボタン１２を、操作者により分かり易い状態で画面表示することができる。
【００４３】
（６）操作スイッチ７の近傍に赤外線センサ１６を配設し、この赤外線センサ１６で操作スイッチ７への操作者の手の接近を検知した時に、それまで停止状態をとって待機していた振動子１５の振動を開始させる。よって、操作者が操作スイッチ７を操作しない時には、振動子１５を停止させておくので、振動子１５の電源（車載バッテリ）の省電力化を図ることができる。
【００４４】
なお、実施形態はこれまでに述べた構成に限らず、以下の態様に変更してもよい。
・  ユーザインターフェース５のボタン表示選択方式は、必ずしも画面円周方向及び画面奥行き方向の３次元的に並ぶ複数の選択ボタン１２，１２…の中から所定の１つを選択する方式に限定されない。例えば、図９に示すように、画面円周方向に並ぶボタン群を１種類の選択項目の括りとし、この括りが画面厚さ方向に並び、これら括りの単位で各々１つの選択ボタン１２が選び出される方式でもよい。
【００４５】
この例としては、本例のユーザインターフェース５のボタン表示選択方式を、エアーコンディショナーシステムの操作パネルとして使用したものが挙げられる。この場合、図９に示すように、画面円周方向の一軸を温度設定軸Ｍ１とし、他の一軸を風量設定軸Ｍ２とし、更に他の一軸をエア吹出口切換軸Ｍ３とし、これらを各々独立した選択項目群とする。そして、これら各々の軸Ｍ１〜Ｍ３において所定の一選択ボタンを選択指定することにより、エアーコンディショナーシステムの動作状態を設定する。なお、この時のボタン群の括り方は、画面円周方向に並ぶボタン群を括ることに限らず、例えば画面厚さ方向に並ぶボタン群を１つの選択項目の括りとすることも可能である。
【００４６】
また、このような変形例の場合は、例えば温度設定軸Ｍ１において一端部のもの（選択ボタン５１）が選択された際に振動子１５が最大振動し、この一端部ものから他端部のもの（選択ボタン５２）に向かうに連れて、選択ボタン１２が選択された際の振動子１５の振動具合いが徐々に小さくなるように設定されていてもよい。なお、これは必ずしも温度設定軸Ｍ１に限ったことではなく、風量設定軸Ｍ２やエア吹出口切換軸Ｍ３に応用してもよい。
【００４７】
・  ユーザインターフェース５のボタン表示選択方式を他のシステムに応用する場合、この対象はエアーコンディショナーシステムに限定されない。例えば、これをカーナビゲーションシステムの操作パネルに応用してもよく、その応用先は適宜変更可能である。
【００４８】
・  選択ボタン１２，１２…の個数は、画面円周方向及び画面厚さ方向ともに同じ個数であることに限定されず、任意に変更可能である。
・  操作スイッチ７は、オンオフ式のスイッチに限定されず、例えばノブ操作量に応じた検出信号を連続的又は段階的に出力する目盛り式（ダイヤル式）でもよい。
【００４９】
・  操作スイッチ７を２軸方向に操作可能とする場合、この時の操作方向は回転操作方向と押し引き操作方向との組み合わせに限定されない。即ち、回転操作方向、押し引き操作方向、横操作方向（スライド操作方向）などの種々の操作方向の中から何れを組み合わせてもよい。なお、操作スイッチ７のスイッチ種を変更した場合、これに合わせてディスプレイ６のボタン配置も変更してもよい。
【００５０】
・  操作スイッチ７は、必ずしも２軸方向のみに操作可能であることに限らず、３軸以上であってもよい。
・  複数の曲目選択ボタン１２，１２…の中で選択状態にあるもののボタン表示は、選択状態にあるものが指定枠１４内に大サイズで切り換え表示されることに限定されない。例えば、ディスプレイ６上の曲目選択ボタン１２，１２…は操作スイッチ７の操作に関係なく固定表示とし、このうち選択状態となったものが例えば点滅表示されるなどの強調表示されるものでもよい。
【００５１】
・  ディスプレイ６上のボタン群１３を画面表示する際の振り分けは、ジャンル及びテンポの２種類で振り分けを行うことに限定されず、これらのうち一方のみでもよいし、若しくはこのような規則性を持たせずに、ランダムにボタン表示してもよい。また、この振り分けの種類は、必ずしもジャンルやテンポに限定されず、例えばアーティストなどで曲目選択ボタン１２，１２…を振り分け配置してもよい。
【００５２】
・  ディスプレイ６に曲目選択ボタン１２，１２…を画面円周方向に並び表示する場合、これは必ずしも円弧状に表示されることに限らず、例えば円周方向全域に亘ってボタンが表示された円状でもよい。
【００５３】
・  振動子１５は、必ずしもモータや振動板からなる構造をもったものに限らず、振動を発生できるものであれば、種類は特に限定されない。
・  操作スイッチ７への操作者の手の接近有無を見る検出手段は、必ずしも赤外線センサ１６に限らず、例えば光センサや磁気センサ等の種々のセンサを採用することが可能である。また、振動子１５の起動を許可する専用スイッチを設け、このスイッチがオン操作されている時のみ振動子１５の振動動作が許可されてもよい。
【００５４】
・  曲が持つテンポの把握は、必ずしも音楽データＤmsが持つ曲概略情報を見ることで行うことに限らず、例えば音楽データＤmsの音楽再生データそのものを解釈して、テンポ判定してもよい。
【００５５】
・  ユーザインターフェース５としては、例えばディスプレイ６上に表示されたカーソルを操作系（ポインティングデバイス）で動かして所望ボタンを選択指定するグラフィカルユーザインターフェースを採用してもよい。
【００５６】
・  オーディオシステム２は、必ずしも車載用に限定されず、一般的な家庭用のものでもよい。
次に、上記実施形態及び別例から把握できる技術的思想について、それらの効果とともに以下に追記する。
【００５７】
（１）請求項１〜６のいずれかにおいて、操作者による前記多方向操作式操作手段の操作を検出する検出手段を備え、前記振動子制御手段は、操作者による前記多方向操作式操作手段の操作を前記検出手段が検出した際、前記振動子の振動動作を開始する。この構成によれば、操作者が多方向操作式操作手段を操作していないときは、振動子を停止状態としておくことが可能となるので、振動子の電源の省電力化を図ることが可能となる。
【００５８】
（２）請求項１〜６、前記技術的思想（１）のいずれかにおいて、前記第１属性は、前記曲目が持つジャンル及びテンポのうちの一方の属性であり、前記第２属性は、これら２者のうちの他方の属性である。この構成によれば、表示手段に配置される曲目を、選択指定し易い並びで配置することが可能となる。
【図面の簡単な説明】
【００５９】
【図１】一実施形態におけるＵＩ備え付きの車両の車内外観を示す斜視図。
【図２】スイッチノブが非操作状態の時の操作スイッチの斜視図。
【図３】スイッチノブが回動操作された時の操作スイッチの斜視図。
【図４】スイッチノブが押し引き操作された時の操作スイッチの斜視図。
【図５】ディスプレイに表示される選曲画面の画面図。
【図６】オーディオシステムのＵＩの電気的構成を示すブロック図。
【図７】操作スイッチの一操作により切り換え表示された後の選曲画面の画面図。
【図８】操作スイッチの一操作により切り換え表示された後の選曲画面の画面図。
【図９】別例におけるディスプレイに表示される一選択画面の画面図。
【符号の説明】
【００６０】
２…オーディオシステム、６…表示手段としてのディスプレイ、７…操作手段、多方向操作式操作手段としての操作スイッチ、１２…選択項目ボタンとしての曲目選択ボタン、１３…ボタン群、１４…定格位置としての指定枠、１５…振動子、１７…表示制御手段、選択状態切換手段、振動子制御手段を構成するインターフェース制御ＥＣＵ。
【図１】
2009205720.tif 000003
【図２】
2009205720.tif 000004
【図３】
2009205720.tif 000005
【図４】
2009205720.tif 000006
【図５】
2009205720.tif 000007
【図６】
2009205720.tif 000008
【図７】
2009205720.tif 000009
【図８】
2009205720.tif 000010
【図９】
2009205720.tif 000011